(57)【要約】【課題】  製造と内部シールドの着脱が容易で、かつ曇り止め特性の急激な経時劣化を生じにくい曇り止めシールドアセンブリを提供する。【解決手段】  曇り止めシールドアセンブリは、少なくとも１つの外部シールド５と、機械的保持手段を介して、この外部シールドの内面に少なくとも部分的に接触状態を保たれる内部シールド６とを有する。機械的保持手段は、外部シールドに連結される少なくとも２つの保持具１，1'を含み、内部シールドは、この保持具に対して係止状態に保たれる。保持具の少なくとも１つは、内部シールドに対して回動可能で、かつ内部シールドと係合可能な部分４を有するピン１であり、この部分４は、ピンの回動位置に応じて、内部シールドと緩く係合する少なくとも１つの部位14と、同じく強固に係合する少なくとも１つの部位15を含むのが好ましい。さらに、ピンは、外部シールドから外側に延出して回転を伝達するための手段３に連結される。【選択図】  図５
2005097823.tif 000002
【特許請求の範囲】
【請求項１】
少なくとも１つの外部シールド(５)と、この外部シールドに連結される少なくとも２つの保持具(１)(1')(101)を含む機械的保持手段(１)(２)(1')(101)を介して、前記保持具に係止されるようにして、前記外部シールドの内面に少なくとも部分的に接触した状態に保持される少なくとも１つの内部シールド(６)とを備える曇り止めシールドアセンブリであって、前記保持具の少なくとも１つは、内部シールドに対して回動可能で、かつ内部シールドと係合可能な部分(４)を有するピン(１)(1')(101)であり、前記部分(４)は、少なくとも１つのピンの回転位置に応じて、内部シールドと緩く係合する少なくとも１つの部位(14)(114)と、同じく強固に係合する少なくとも１つの部位(15)(115)を有し、前記回動可能なピンは、前記外部シールドの外側に延出して回転を伝達するための手段(３)に連結されていることを特徴とする曇り止めシールドアセンブリ。
【請求項２】
機械的保持手段は、回動可能なピンとの係合のために、内部シールドの側面に設けられた少なくとも１つの座部(13)(13')を有し、この座部と係合するピンの部分は、形状の中心と回転の中心とがずれていることを特徴とする請求項１記載の曇り止めシールドアセンブリ。
【請求項３】
回動可能なピンは、内部シールドに係止され、内部シールドが抜けるのを防止する少なくとも１つのタブ(９)を有することを特徴とする請求項２記載の曇り止めシールドアセンブリ。
【請求項４】
回転の中心が形状の中心とずれているピンの部分においては、内部シールドと緩く係合する部位(14)の位置が、内部シールド取外しのための回転位置とほぼ一致し、この回転位置においては、座部との連結点とピンの回転軸との間の距離(ｄ)が最小であり、かつピンは、内部シールドに対して、負荷を全く与えないか、または最小の負荷しか与えないようになっていることを特徴とする請求項２または３記載の曇り止めシールドアセンブリ。
【請求項５】
回動可能なピンは、内部シールドと当接する隆起を含む少なくとも１つのタブ(104)を有し、このタブは、ピンの予め設定された角度範囲においてのみ、内部シールドと当接していることを特徴とする請求項１記載の曇り止めシールドアセンブリ。
【請求項６】
内部シールドに対して回動可能な２つのピンを備え、各ピンには、内部シールドと係合するための部分が設けられ、この部分は、ピンの回動位置に応じて、内部シールドと緩く係合する少なくとも１つの部位と、同じく強固に係合する少なくとも１つの部位を含むことを特徴とする請求項１〜５のいずれかに記載の曇り止めシールドアセンブリ。
【請求項７】
機械的保持手段は、外部シールドに穿設される孔(７)を介してピンに固着しうる、外部に露出した少なくとも１つのキャップ(２)(２')を含むことを特徴とする請求項１〜６のいずれかに記載の曇り止めシールドアセンブリ。
【請求項８】
キャップは、ピン(１)(101)を手で回転させうる形状の部分(３)を含むことを特徴とする請求項７記載の曇り止めシールドアセンブリ。
【請求項９】
キャップは、ピンに対して嵌着しうるようになっていることを特徴とする請求項７または８記載の曇り止めシールドアセンブリ。
【請求項１０】
キャップおよびピンは、外部シールドの孔(７)の中で、一体的に回転しうるようになっていることを特徴とする請求項７〜９のいずれかに記載の曇り止めシールドアセンブリ。
【請求項１１】
キャップは、ピンが、外部シールドに対して軸方向に摺動するのを防止しうる形状を有することを特徴とする請求項７〜１０のいずれかに記載の曇り止めシールドアセンブリ。
【請求項１２】
内部シールドの外面は、外部シールドの内面とほぼ完全に接触していることを特徴とする請求項１〜１１のいずれかに記載の曇り止めシールドアセンブリ。
【請求項１３】
内部シールドの外面の周縁部(117)のみが、外部シールドの内面と接触していることを特徴とする請求項１〜１１のいずれかに記載の曇り止めシールドアセンブリ。
【請求項１４】
内部シールドの曲率半径(Ｒ6)は、外部シールドの曲率半径(Ｒ5)よりも大きいことを特徴とする請求項１〜１３のいずれかに記載の曇り止めシールドアセンブリ。
【発明の詳細な説明】
【技術分野】
【０００１】
本発明は、外部シールドと、この外部シールドの内側面に、機械的な保持手段を介して少なくとも部分的に接する内部シールドとを具備するタイプの曇り止めシールドアセンブリに関する。機械的保持手段は、外部シールドと接続された少なくとも２つの保持具からなり、この保持具は、断面半円形の内部シールドの側面に位置する座部、または係合域と係合する。
【背景技術】
【０００２】
主にオートバイに乗る際に使用されるヘルメットのシールドの曇りを防止または減少させるための手段としては、種々のものが知られている。ヘルメットのシールドを下ろしたときに、運転者・乗員の呼気中の水分が凝縮して、シールドの内面（ヘルメットの内側を向く面）に生ずる曇りは、特に、いわゆるフルフェース式のヘルメットにおいて、ごく頻繁に生ずる不快な現象である。
【０００３】
この課題を都合よく解決する手段は、例えばポリカーボネートのような疎水性の材料から形成されて、引っかき傷のつきにくい外部シールドに、セルロースアセテート等の親水性の材料から形成される内部シールドを組み合わせて使用するというものである。セルロースアセテートは、曇り止め特性を有するものの、一般に、引っかき傷がつきにくくはない。このような組み合わせシールドの曇りを防止するためには、内部シールドを、外部シールドに対して、密着して接合しなければならない。すなわち、内部シールドの外面と、外部シールドの内面との間に、湿った空気の流れが入り込まないようにしなければならない。
【０００４】
下記特許文献１は、セルロースアセテート製内部シールドの外面が、ポリカーボネート製外部シールドの内面と密着するように、外部シールドに機械的に保持される内部シールドを開示している。
【０００５】
この特許文献に記載されているシールドアセンブリは、外部シールドに強固に連結され、かつ外部シールドの内側部分に突出する２つの保持装置を備えている。外部シールドは、弾性変形される内部シールドの両側面に設けられた断面半円形の座部と係合する。この座部は、保持装置の２つのピンと連結されたときに、この保持装置から容易に外れることのないように、負荷を加える形状とされている。
【０００６】
より詳しくいうと、この特許文献における内部シールドは、外部シールドの曲率半径よりも、わずかに大きい曲率半径を有しており、外部シールドの内側に突出している２つの保持装置に係合される。内部シールドは、両保持装置の間で負荷を与えられ撓んだときに、変形により、外部シールドの内面と完全に密着する。
【０００７】
下記特許文献２には、上記特許文献１に記載されたものと類似するシールド構造が開示されている。シリコーン等の封止特性を有する材料からなる周縁を有するセルロースアセテート製内部シールドは、この側面に形成された凹形座部が、ポリカーボネート製外部シールドの内側に設けられた対応する保持装置に係合させることによって、外部シールドと接合される。このとき、内部シールドの外面は、２つのシールドの間に、防水性空気室を区画する。また、内部シールドは、弾性変形が可能であり、外部シールドに連結された２つの保持装置によって、弾性変形した状態、すなわち負荷状態に保持される。
【０００８】
当業者には明らかなように、このような曇り止めシールドアセンブリにおいては、内部シールドを形成し、弛緩と変形（クリープによる）に晒されるプラスチック材料の耐久時間が重要であり、かつ２つのシールドおよび機械的保持手段のそれぞれの大きさと形状も、きわめて重要である。
【０００９】
内部シールドに予定された範囲の負荷状態と弾性変形を生じさせ、しかも取付けの失敗やプラスチックの恒久的な変形が生じないように、内部シールドを容易に取り付けうるようにするには、２つのシールドの大きさ、これらシールドの弾性変形時におけるそれぞれの曲率半径、外部シールドの位置、および断面半円形となる内部シールドの座部の位置が、それぞれ設計時の理論的な大きさ。および位置とほぼ同一となることが必要である。これは、２つのシールドと２つの機械的保持手段（すなわち保持装置と座部）を製造する際の許容誤差が、きわめて厳格でなければならないことを意味するが、これは製造コストの上昇につながる。
【００１０】
さらに、内部シールドの製造に用いられるセルロースアセテート等の疎水性材料は、座部と保持装置のピンとの連結部分における機械的な磨耗と、熱エネルギーおよび長時間の太陽光への暴露とに起因して、部分的に経時劣化を生ずるため、内部シールドの連結用座部が拡張するとともに、材料が弛緩し、さらに僅かな値ではあるが、寸法が小さくなる。内部シールドを形成している材料が劣化すると、（外部シールド上の２つのピンを介して）２つのシールドを密着状態に保つために内部シールドに課せられる負荷条件の欠如につながる。
【００１１】
すなわち、上記２つの文献に開示されているシールドアセンブリにおいては、経時劣化を生じ、保持装置と内部シールドとを連結できなくなって、曇り止め特性が低下することとなる。
【００１２】
また、これら２つの文献におけるシールド構造においては、例えば、上述のように経時劣化が容易に生じうる内部シールドを交換する必要がある場合に、内部シールドを外部シールドから取外す際、外部シールド上のピンと内部シールドの座部との係合を解除して内部シールドを取外すために、まずヘルメットからシールドアセンブリを取外し、ついで、外部シールドを湾曲させて、その曲率半径が一時的に増大するよう、弾性変形させることが必要である。
【００１３】
その結果、ユーザは、内部シールドを取外すのに、シールドアセンブリ全体をヘルメットから取外さねばならず、かなりの時間と特別な工具を用いることが必要となる。
【００１４】
ユーザは、上述のシールドアセンブリを組み込んだヘルメットにおいては、外部シールドから内部シールドを簡単に取り外したり、２つのシールド間の接触の程度を変えるのは不可能であり、このような不都合は、このシールドアセンブリの重大な技術的制約と考えられている。
【特許文献１】国際公開ＷＯ９６／１６５６３号明細書
【特許文献２】米国特許第６４０５３７３号明細書
【発明の開示】
【発明が解決しようとする課題】
【００１５】
本発明の目的は、従来みられたような欠点がなく、製造、および内部シールドの着脱が容易で、かつ曇り止め特性の急激な経時劣化を生じにくい、上述のタイプの曇り止めシールドアセンブリを提供することである。
【００１６】
上述の目的、およびその他の目的は、請求項１およびこれに従属する請求項に記載されたシールドアセンブリによって達成される。
【課題を解決するための手段】
【００１７】
本発明に係る曇り止めシールドアセンブリは、少なくとも１つの外部シールドと、機械的保持手段を介して、外部シールドの内面に、少なくとも部分的に接触した状態に保持される少なくとも１つの内部シールドとを備えている。機械的保持手段は、外部シールドに連結される少なくとも２つの保持具を有し、内部シールドは、この保持具に係止されることにより、外部シールドと接触状態に保持される。
保持具の少なくとも１つは、内部シールドに対して回動可能で、かつ内部シールドと係合可能な部分を有するピンであり、この係合可能な部分は、ピンの回転位置に応じて、内部シールドと緩く係合する少なくとも１つの部位と、同じく強固に係合する少なくとも１つの部位を有する。
さらに、ピンは、外部シールドから外側に延出して、回転を伝達するための摘み手段に連結されているのが好ましい。
【００１８】
ピンは、外部シールドの外側から操作しうるように設計され、かつピンの回転角度に応じて、内部シールドと係合しうる形状の部分を有するため、単にピンを回転させるだけで、内部シールドとの係合強度を修正することができる。
【００１９】
この結果、係合部分には、緩く係合する部位を設けることができ、この部位においては、外部シールドに対する内部シールドの着脱が容易になる。また、係合部分には、強固に係合する部位を設けることもでき、この部位においては、内部シールドの着脱は、容易には行えない。外部シールドの外側から、上述の摘み手段を用いてピンを回転させると、内部シールドを、外部シールドに対して容易に着脱することができる。この場合、予め外部シールドを取外したり、外部シールドを変形させたり、特別な工具を使用する必要はない。
【００２０】
本発明の好ましい態様によれば、内部シールドの側面には座部が設けられ、この座部に対して、外部シールドに連結された保持具が係合される。ピンの係合部分は、座部に対してカム形式で係合しうる形状を有する。
【００２１】
ピンの表面が、内部シールドの座部とカム形式で係合することについては、以下で詳細に説明するが、このようにカム形式で係合とすることにより、内部シールドにおける凹形座部との係合点と、ピンの回転軸との間の距離を変化させることができ、ピンによって加えられる負荷を調節しうるようになる。したがって、内部シールドを着脱する際には、上述の摘み手段を用いて、内部シールドに加えられる負荷を変化させ、内部シールドの外部シールドに対する係合強度を変化させるように、ピンを回転させるだけでよい。本発明によれば、外部シールドの変形を考慮に入れる必要はなく、また各部品の製造時に、特に厳格な許容誤差を求められることもない。
【００２２】
本発明においては、機械的保持手段は、内部シールドの２つの座部とカム形式で係合しうる面を有する２つの回動可能なピンを備えているのが好ましい。各ピンは、外部シールドの外側に突出する摘み手段と一体とされる。
【００２３】
本発明によれば、シールドアセンブリの組立て時、保守点検時、および内部シールドの取替時に、ユーザは、内部シールドに加えられる負荷を、容易かつきわめて正確に調整することができる。
【００２４】
本発明の変形例においては、機械的保持手段は、外部シールドに穿設される適当な孔を介してピンに固着され、ピンとともに回転しうる少なくとも１つのキャップを含んでいる。この変形例においては、キャップを所定の形状としたものが、上述の摘み手段に相当する。
【００２５】
本発明の他の変形例においては、内部シールドが予期せずにピンから外れるという事態を避けるために、ピンの係合部分の内側に、タブが設けられている。
【発明の効果】
【００２６】
本発明によれば、製造と内部シールドの着脱が容易で、かつ曇り止め特性の急激な経時劣化を生じにくい曇り止めシールドアセンブリが提供される。
【発明を実施するための最良の形態】
【００２７】
以下に、本発明の好ましい実施形態を、添付図面を参照しつつ、非限定的な例として説明する。
【００２８】
添付の各図面において、本発明に係る曇り止めシールドアセンブリは、引っかき傷がつきにくいポリカーボネート等の材料から形成された少なくとも１つの外部シールド５と、曇り止め特性を有するセルロースアセテート等の疎水性の材料から形成された少なくとも１つの内部シールド６とを備えている。内部シールド６は、機械的保持手段１，２（または101，２）を介して、外部シールド５に連結されている。
【００２９】
この機械的保持手段は、少なくとも２つの保持具１，1'（または101）を備えている。これら２つの保持具は、外部シールド５に連結され、かつ内部シールド６を、これら２つの保持具の間で把持して係止するのに適するものである。すでに公知となっているように、保持具１，1'；101は、内部シールドの側面に設けられている凹形座部13,13'に対して所定の負荷を加え、かつ間に介在する部品を介して、この保持具１，1'；101に対する内部シールド６の摺動を防止することによって、内部シールド６を、外部シールド５に対して強固に保持することができる。
【００３０】
本発明によれば、保持具１，1'；101の少なくとも１つは、内部シールドに対して回動可能なピン１,101であり、このピン１,101は、内部シールド６に対する係合部４；104を有している。係合部４；104は、ピン１；101の回転角度に応じて、内部シールド６と緩く係合する部位14；114と、強固に係合する部位15；115とを、少なくとも１つずつ有している。
【００３１】
上述の「内部シールドと緩く係合する部位」とは、以下においても同様であるが、係合部４のうち、内部シールド６と部分的にのみ係合するか、または少なくとも内部シールド６との係合を解除するときに使用される部位を指す。この部位があることによって、ユーザは、内部シールド６を、保持具１，1'；101から容易に取外すことができる。
【００３２】
上述の「内部シールドと強固に係合するための部位」とは、係合部４のうち、幾何形状を利用して、内部シールド６が、外部シールド５と強固に係合することを可能にする部位を指す。
【００３３】
本発明によれば、ピン１；101は、このピン１；101を回転させるための摘み手段３に対しても固着されている。摘み手段３は、ヘルメットの外部シールド６に吹き付ける空気流に向かって、外部シールド５の外面の外側に延びている。
【００３４】
この摘み手段３は、例えばピン１；101に対して強固に固定しうる形状の部分を有し、外部シールドから外側に向かって延出している。摘み手段３は、ピン１；101と容易に一体化することができ、ユーザが、本発明に係るシールドアセンブリの外側から、ピン１；101を手で回転しうるようにするためのものである。
【００３５】
図１〜図６に示す好ましい実施形態においては、本発明に係るシールドアセンブリの機械的保持手段は、外部シールドと係合され、かつ外部シールドの内面から突出している２つのピン１，１'を備えている。このピン１，１'は、これと対向するようにして内部シールド周縁の側面に設けられている２つの凹形の座部13,13'と係合しうる形状を有している。
【００３６】
図示の実施形態においては、内部シールド６と凹形座部13,13'のそれぞれの大きさ、２つの保持具１と１'の間の距離、およびこれら保持具の形状は、湿気を帯びた空気が、２つのシールド５と６の間に流入するのを防止するために、内部シールド６を、弾性変形した状態において、外部シールド５の内面との密着状態に保持しうるようなものとされている。
【００３７】
特に、内部シールド６は、外部シールド５の曲率半径Ｒ5より大きい曲率半径Ｒ6を有するのが好ましい。内部シールド６は、組立て時には、保持具１と１'の間で弾性変形（湾曲）し、座部13,13'に係合された保持具１，１'によって一定の負荷状態に置かれ、この変形した状態に保持される。内部シールド６を形成する材料の弾性と、内部シールド６が受ける湾曲の程度が、内部シールドが保持具１，１'によって最適な状態に保持されるか否かを決定する。
【００３８】
本発明に係る保持具１，１'のうち少なくとも一方は、外部シールド５に投射する軸Ｘ−Ｘの回りで、外部シールド５に対して回動可能に取付けられるピン１である。ピン１は、内部シールド６と係合する円柱体４を備えているが、この円柱体４は、上記ピン１の回転軸Ｘ−Ｘとは中心を異にする円形の基部を有している。換言すれば、円形の基部を有する円柱体４は、内部シールドの側面に設けられた座部13,13'とカム形式で接続しうるように、ピン１の回転軸Ｘ−Ｘとは平行にずれて位置する対称軸を有する。
【００３９】
ピン１は、以下に明らかになるように、外部シールド５の外側に延出している、回転力を伝えるための摘み手段３と連結されている。したがって、ユーザは、ピン１を容易に回転させることができる。
【００４０】
図３ａと図３ｂに示すように、摘み手段３を介してピン１を回転させると、円柱体４は、内部シールド６と緩く係合するための部位（または点）14が、内部シールド６の対応する座部13と係合している第１の回転位置から、内部シールド６と強固に係合するための部位（または点）15が対応する座部13と係合する第２の回転位置へ徐々に移行する。
【００４１】
ピン１が、偏心円柱体４を有する回動タイプのものである場合には、内部シールド６と緩く係合するための部位（または点）14が、凹形座部13の内面と係合しているときに、回転軸Ｘ−Ｘと円柱体の係合面との間の距離ｄが最小となる。逆に、ピン１の最も外側の係合点と保持具１'の内部シールド６に対する係合点との間の距離は、最大となる。このような構成とすることによって、保持具１，１'により内部シールド６に対して加えられる負荷は、最小または０となる。このような立体配置においては、以下で、すぐ明らかになるように、内部シールドの保持具１，１'に対する着脱は、容易になる。
【００４２】
反対に、回転軸Ｘ−Ｘと円柱体４の連結面との間の距離Ｄが最大となるように摘み手段３を操作することによって、ピン１が回転すると、内部シールド６と強固に係合するための部位15は、対応する座部13と係合する。また、ピン１の最も外側の係合点と保持具１'の内部シールド６に対する係合点との間の距離は、最小となる。このとき、内部シールド６に対しては、保持具１，１'によって、最大の負荷が加えられる。この最大の負荷が加えられる立体配置においては、内部シールド６が外れるのは防止されるか、または外れるには大きな抵抗力が働く。
【００４３】
保持具１，１'の両方が、その係合用の円柱体が偏心位置に配置される回動タイプのものである場合には、偏心円柱体４が、最小距離ｄを保って内部シールド６の座部13,13'と係合するように、摘み手段３を介して、ピン１と１'を同時に回転させると、内部シールド６の２つの係合地点の間には最大の距離が確保される。この場合、内部シールド６には最小の負荷しか加わっておらず、ピン１，１'と内部シールド６とは、緩く結合することになる。
【００４４】
これとは対照的に、ピン１と１'を同時に回転させることによって、最大距離Ｄを保って係合する部位が、凹形座部13,13'と係合すると、内部シールド６に最大の負荷が加わり、ピン１，１'と内部シールド６が強固に連結する。
【００４５】
上述のように、図１〜図６に示す実施形態におけるピン１，１'の一方または双方を回転させると、ピン１，１'の回転位置に応じて、内部シールド６と外部シールド５との接触状態を修正することができる。すなわち、内部シールド６が、外部シールド６の内面と部分的または全面的に密着しうる弾性変形した状態にあるときには、（円柱体４が偏心状態で配置されているために、）内部シールドが受ける負荷を概ね連続的に調整することができる。
【００４６】
両シールドの接触の程度を修正しうるものとすると、ヘルメットのメーカーが、上述のシールドアセンブリの部品を製造する際の許容誤差を大きくすることができる。また、ユーザは、上述のピン１，１'を回転させるための摘み手段３を用いて、外部シールドの外側から容易に操作し、内部シールド６の着脱を行えるようになる。この際、ヘルメットから外部シールド５を取り外したり、特別な工具を用いたりする必要はない。
【００４７】
さらに、磨耗やクリープによって、内部シールド６の寸法に変化が生じた場合にも、単にピン１，１'の少なくとも一方を回転させるだけで、内部シールド６に加わる負荷を調整することができ、２つのシールド５と６の強固な接合を確保することができる。
【００４８】
本発明の好ましい実施形態においては、図２、図３ａ、および図３ｂに詳細に示すように、座部13,13'が、偏心円柱体４の係合部分から予期せずに外れるという事態を回避するため、各ピン１，１'には、ブロックタブ９が設けられている。
【００４９】
各ブロックタブ９は、内部シールド６の内面側に設けられ、偏心円柱体４が各座部13,13'と強固に係合する一定の角度の範囲内（上述の部位15を含む）で、各ピン１，１'から径方向に延びている。このような構成とするのは、部位14を各座部13,13'と緩く係合させて、シールドを取り外すときに、ブロックタブ９が、この支障とならないようにするためである。
【００５０】
さらに、図１〜図６に示す実施形態においては、ピン１，１'は、外部シールド５に穿設された孔７を通って外部シールド５の外側に延出しているキャップ２，２'と係合することにより、外部シールド５と回動可能に連結されている。このようなキャップ２，２'とピン１，１'の立体配置により、キャップ２，２'とこれに固着されたピン１，１'が、孔７から滑り落ちるのが防止され、同時に、これらキャップ２，２'とピン１，１'が、孔７の中で、軸Ｘ−Ｘの回りで一体に回転しうるようになっている。
【００５１】
図示していない実施形態においては、キャップ２，２'は、外部シールド５と一体とされ、ピン１，１'は、キャップ２，２'に対して、回動可能に係合する。したがって、キャップ２，２'は、外部シールド５と内部シールド６の両方から外れることはない。
【００５２】
図３ａ、図３ｂ、図４ａ、および図４ｂに示す実施形態においては、キャップ２，２'は、係止部10を有し、この係止部10からは、突条12と凸部20を有するシリンダ部11が突出している。係止部10は、外部シールド５の外側を向く、キャップ２，２'およびピン１，１'の軸Ｘ−Ｘの回りで、ユーザが手で回転させるのに適した形状の端部３を有している。このような形状の端部は、ピン１または１'を回転させるための上述の摘み手段においても重要である。
【００５３】
シリンダ部11は、ピン１，１'の中空部８に嵌挿しうる形状を有している。中空部８は、シリンダ部11の突条12が嵌合される凹部21を有している。中空部８は、凸部20が、間に弾性の部品を介在させて嵌合される溝（図示略）をも有している。ピン１，１'をキャップ２，２'に嵌め付けると、両部品は軸方向に係合する。このとき、ピン１，１'の突条12は、キャップ２または２'の凹部21に嵌合されるため、ピン１または１'は、キャップ２または２'とともに回転することとなる。
【００５４】
以上、ピン１，１'を外部シールド５に対して回動可能に保持しうるキャップ２，２'について説明してきたが、ピン１を外部シールドに係合させるには、他の公知の手段も用いることができる。また、ピン１，１'を回転させるには、外部シールド５の外側に延出する他の適当な手段も用いることができる。例えば、ピン１には、ユーザが把持することができ、かつ孔７に係合しうる弾性変形可能な部分を設けることができる。
【００５５】
図７と図８は、本発明の他の実施形態を示す。この実施形態は、内部シールド６の一部のみ（好ましくは周縁部）が、外部シールドの内面と接触する場合に、特に有利である。例えば、内部シールド６の外面には、特許文献２に記載されているように、シリコーンのような液体を透さない材料からなるフレーム117が設けられてうる。フレーム117は、内部シールド６の外面の周縁に配置され、外部シールドに当接している。
【００５６】
この実施形態においては、内部シールド６の内面と当接する隆起116を介して、内部シールド６を、外部シールド５と部分的に当接させることによって保持する保持具101を用いることができる。この場合、保持具101は、内部シールドを外部シールドに対して強固に接合する上で、内部シールド６に対して、必ずしも負荷を伝達する必要はない。
【００５７】
より詳しくいうと、この実施形態においては、図７と図８に示すピン101は、この回転軸Ｘ−Ｘの回りにおける一定の角度の範囲内で、内部シールド６と重合するように延出し、内部シールド６と当接するタブ104を有している。このタブ104は、内部シールド６と強固に当接するための第１の部位115と、内部シールド６と当接しない第２の部位114を有する。第１の部位115は、内部シールドの内面と当接しうる形状の隆起116を含んでいる。第２の部位114には、このような隆起はない。
【００５８】
図１〜図６を参照して説明した実施形態と同様に、ピン101は、外部シールド５に穿設された孔７と、ピン101と係合しうる形状を有するキャップ２とを介して、外部シールド５に対して回動可能に連結されている。キャップ２は、突条（図示略）を介して、ピン101と係合している。また、キャップ２は、外部シールド５の外側から、ピン101を回転させうるようにするための摘み部３を有している。
【００５９】
ユーザは、図７に示す回転軸Ｘ−Ｘの回りでピン101を回転させることにより、第１の部位115を内部シールド６と強固に当接させ、内部シールド６が外部シールド５と部分的に当接した状態にするか、または内部シールド６がピン101と当接しない状態にすることができる。
【００６０】
以上の説明から、当業者であれば、傷のつきにくい外部シールドに重合される曇り止め内部シールドを具備する曇り止めシールドアセンブリにおける上述のタイプの回動可能なピン、すなわち、ピンの回転角度に応じて、内部シールドと緩く係合する部位と、強固に係合する部位とを有し、かつ外部シールドの外側に延出してピンを回転させるための摘み手段を備えるピンは、上記シールドアセンブリの部品の許容誤差を緩いものとし、経済性を向上させうることを明瞭に理解することができるはずである。また、予めヘルメットから外部シールドを取外す必要がなく、内部シールドの着脱を容易に行えること、および、必要に応じて、内部シールドに加えられる負荷を正確に調整しうることも理解できるはずである。
【図面の簡単な説明】
【００６１】
【図１】本発明の好ましい実施形態に係るシールドアセンブリにおける機械的保持手段の斜視図である。
【図２】図１に示す機械的保持手段を備えた曇り止めシールドアセンブリの側面断面図である。
【図３ａ】本発明の一態様に係るシールドアセンブリにおけるピンの底面図である。
【図３ｂ】図３ａのＡ−Ａ線断面図である。
【図４ａ】図３ａと図３ｂに示すピンを固定するための外側キャップの底面図である。
【図４ｂ】同じく、側面図である。
【図４ｃ】図４ａのＢ−Ｂ線断面図である。
【図５】本発明の好ましい実施形態に係るシールドアセンブリの部分的な分解平面断面図である。
【図６】上記各図に示すシールドアセンブリの断片的な背面図である。
【図７】本発明の他の実施形態に係るシールドアセンブリにおける機械的保持手段の部分的な側面断面図である。
【図８】図７に示すピンの底面図である。
【符号の説明】
【００６２】
１，１'  ピン
３  摘み手段
４  係合部
５  外部シールド５
６  内部シールド６
７  孔
８  中空部
９  ブロックタブ
10  係止部
11  シリンダ部
12  突条
13,13'  座部
14  内部シールドと緩く係合する部位
15  内部シールドと強固に係合する部位
20  凸部
21  凹部
101  ピン
104  タブ
114  第２の部位
115  第１の部位
116  隆起
117  フレーム
【図１】
2005097823.tif 000003
【図２】
2005097823.tif 000004
【図３ａ】
2005097823.tif 000005
【図３ｂ】
2005097823.tif 000006
【図４ａ】
2005097823.tif 000007
【図４ｂ】
2005097823.tif 000008
【図４ｃ】
2005097823.tif 000009
【図５】
2005097823.tif 000010
【図６】
2005097823.tif 000011
【図７】
2005097823.tif 000012
【図８】
2005097823.tif 000013
【外国語明細書】
2005097823000001.pdf